(57)【要約】【課題】キッチンキャビネットの中央下方の収納スペースに、水回りと、火回りで使用する調理用具類とを区分して収納できる収納装置を提供する。【解決手段】天板の一方にシンク３が、他方にコンロ４が設けられ、中央がカウンターとされたキッチンキャビネットの中央下方の収納スペースに設けられる収納装置であって、上記収納スペースには両開きの扉体１が設けられ、コンロ４側を軸支して開けるときは、扉体１裏面に固定された小収納部２が扉体１と共に回動して収納スペース奥部分が現れ、シンク３側を軸支して開けるときは、上記小収納部２が収納スペース内にとどまり、扉体１のみが開くことを特徴とする。【選択図】図１
2005000531.tif 000002
【特許請求の範囲】
【請求項１】
天板の一方にシンクが、他方にコンロが設けられ、中央がカウンターとされたキッチンキャビネットの中央下方の収納スペースに取り付けられる収納装置であって、上記収納スペースには両開きの扉体が設けられ、コンロ側を軸支して開けるときは、扉体裏面に固定された小収納部が扉体と共に回動して収納スペース奥部分が現れ、シンク側を軸支して開けるときは、上記小収納部が収納スペース内にとどまり、扉体のみが開くことを特徴とするキッチンキャビネットの収納装置。
【請求項２】
上記扉体が、上記収納スペースの開口部のコンロ側に第１の蝶番によって軸支され、かつ、上記開口部と略同じ大きさの枠体と、この枠体のシンク側と折れ戸式に第２の蝶番によって軸支された扉本体とからなり、上記小収納部が上記枠体の裏面に固定された請求項１に記載のキッチンキャビネットの収納装置。
【請求項３】
上記開口部のシンク側に埋め込まれたマグネットと上記枠体のシンク側に埋め込まれた鉄片とが相互に磁性係止する請求項２に記載のキッチンキャビネットの収納装置。
【請求項４】
上記枠体のコンロ側に埋め込まれたマグネットと上記扉本体のコンロ側に埋め込まれた鉄片とが相互に磁性係止する請求項２に記載のキッチンキャビネットの収納装置。
【請求項５】
天板の一方にシンクが、他方にコンロが設けられ、中央がカウンターとされたキッチンキャビネットの中央下方の収納スペースに嵌装される収納装置であって、上記収納スペースに引出しをスライド自在に収めるとともに、該引出しは、前板のシンク側端部が該引出しの左側面板に回動自在に軸支され、該前板のコンロ側端部は引出しの右側面板に磁性係止する片開き扉とされ、かつ、引出しの前部に小収納部を備えたことを特徴とするキッチンキャビネットの収納装置。
【発明の詳細な説明】
【０００１】
【発明の属する技術分野】
本発明は、キッチンキャビネットの収納装置に関する。さらに詳しくは、キッチンキャビネットの中央部カウンター下方に設けられる両開きの扉または片開きの扉を有する収納装置に関する。
【０００２】
【従来の技術】
従来、冷蔵庫等に用いられ、右開き、左開きを設置場所等により、自由に選択できるよう切替えできるドア（特許文献１）や、収納キャビネット等の開口部に設けられ、扉を回動自在に軸支するとともに、開口部の一端から他端へスライド可能とされた軸を中心に左右両開きできる扉（特許文献２）等に関する技術が知られている。
【０００３】
【特許文献１】
特開昭５２−４６９７３号公報（補正書、第１−３頁、第１図）
【特許文献２】
実開平４−１０８７８２号公報（第１−２頁、第１〜３図、第４〜７図）
【０００４】
【発明が解決しようとする課題】
近年、左右両端にシンク（水回り）とコンロ（火回り）とを備え、中央はカウンターとされたキッチンキャビネットが普及しつつあり、このようなキッチンキャビネットにおいても、中央カウンターの下方の収納スペースに調理用具、調理用品、調理器具等を、使い勝手よく収納できる左右両開きの扉を備えた収納装置が要望されている。しかしながら、キッチンキャビネットに上記公知技術を適用して、使い勝手よく収納物を出し入れできるとともに、上記調理用具、調理用品、調理器具等を用途によって区分して収納できる収納装置を提供することは困難である。本発明は、このような状況の下で考え出されたものであって、キッチンキャビネットの中央下方の収納スペースに、シンク使用時は、主として水回りで使用する調理用具を、コンロ使用時は、主として火回りで使用する調理用品、調理器具等を区分して収納できるキッチンキャビネットの収納装置を提供することを、その課題とする。
【０００５】
【課題を解決するための手段】
上記課題を解決するために本発明においては、つぎのような技術手段を講じている。すなわち、本願第１発明によれば、天板の一方にシンクが、他方にコンロが設けられ、中央がカウンターとされたキッチンキャビネットの中央下方の収納スペースに取り付けられる収納装置であって、上記収納スペースには両開きの扉体が設けられ、コンロ側を軸支して開けるときは、扉体裏面に固定された小収納部が扉体と共に回動して収納スペース奥部分が現れ、シンク側を軸支して開けるときは、上記小収納部が収納スペース内にとどまり、扉体のみが開くことを特徴とするキッチンキャビネットの収納装置が提供される。このようにすることによって、キッチンキャビネットの中央下方の収納スペースに、主として水回りで使用する調理用具と、主として火回りで使用する調理用品、調理器具等とを区分して収納できる収納装置を設けることができる。
【０００６】
上記扉体が、上記収納スペースの開口部のコンロ側に第１の蝶番によって軸支され、かつ、上記開口部と略同じ大きさの枠体と、この枠体のシンク側と折れ戸式に第２の蝶番によって軸支された扉本体とからなり、上記小収納部が上記枠体の裏面に固定されたものとすることが好ましい。このようにすることによって、シンク使用時に、コンロ側を軸支して枠体と扉本体とが重なってなる扉体を開ければ、収納スペースの奥部分が現れ、主として水回りで使用する調理用具等を使い勝手よく、収納することができ、また、コンロ使用時に、シンク側を軸支して扉本体のみを開ければ、収納スペース内にとどまった上記小収納部が現れ、主として火回りで使用する調理用品、調理器具等を使い勝手よく、収納することができる。
【０００７】
上記開口部のシンク側に埋め込まれたマグネットと上記枠体のシンク側に埋め込まれた鉄片とが相互に磁性係止することが好ましい。このようにすることによって、開口部のシンク側と枠体のシンク側とがしっかりと磁性係止するため、第２の蝶番に軸支された扉本体のみを容易に開けることができる。
【０００８】
上記枠体のコンロ側に埋め込まれたマグネットと上記扉本体のコンロ側に埋め込まれた鉄片とが相互に磁性係止することが好ましい。このようにすることによって、上記小収納部を裏面に固定した枠体と扉本体とがあたかも１枚の扉のようになり、第１の蝶番に軸支されて容易に開けることができる。
【０００９】
さらに、本願第２の発明によれば、天板の一方にシンクが、他方にコンロが設けられ、中央がカウンターとされたキッチンキャビネットの中央下方の収納スペースに嵌装される収納装置であって、上記収納スペースに引出しをスライド自在に収めるとともに、該引出しは、前板のシンク側端部が該引出しの左側面板に回動自在に軸支され、該前板のコンロ側端部は引出しの右側面板に磁性係止する片開き扉とされ、かつ、引出しの前部に小収納部を備えたことを特徴とするキッチンキャビネットの収納装置が提供される。このようにすることによって、キッチンキャビネットの中央下方の収納スペースに、主として水回りで使用する調理用具と、主として火回りで使用する調理用品、調理器具等を区分して収納できる収納装置を設けることができる。
【００１０】
【発明の実施の形態】
以下、本願第１発明の好ましい実施の形態について、図面を参照して、さらに詳細に説明する。図１は、天板の一方にシンク３が、他方にコンロ４が設けられ、中央がカウンターとされたキッチンキャビネットの中央下方の収納スペースに本発明にかかるキッチンキャビネットの収納装置を設置した状態を示す斜視図である。図１において、扉体１は枠体１１と扉本体１２とからなるとともに、枠体１１は、開口部１０のコンロ４側に第１の蝶番４１、４２によって軸支され、扉本体１２は、枠体１１のシンク３側に第２の蝶番３１、３２によって折れ戸式に軸支されている。また、枠体１１の裏面には小収納部２として籠体が固定されている。上記開口部１０のシンク３側にはマグネット３３が埋め込まれ、枠体１１の裏側の相当する位置に埋め込まれた鉄片（図示せず）と磁力により係止し、ラッチ構造とされている。また、枠体１１のコンロ４側にもマグネット４３が埋め込まれ、扉本体１２の裏側の相当する位置に埋め込まれた鉄片（図示せず）と磁力により係止し、ラッチ構造とされている。
【００１１】
つぎに、本願第１発明にかかるキッチンキャビネットの収納装置の動作について説明する。図２は、枠体１１と扉本体１２とからなる扉体１を、上記第１の蝶番４１、４２によって軸支するとともに、把手５１を引いて回動した状態を示す平面図である。このとき、図２からよくわかるように、扉体１は、マグネット３３の磁力に抗し、コンロ４側を軸支されてあたかも１枚の扉のように回動し、枠体１１の裏面に固定された小収納部２も扉体１と共に回動して収納スペースの奥部分が現れ、オープンとなる。かくして、この収納スペース奥部分に、鍋、土鍋、ボウル等、主として水回りで使用する調理用具を使い勝手よく収納することができる。
【００１２】
図３は、第２の蝶番３１、３２で枠体１１と折れ戸式に軸支された扉本体１２を把手５２を引いて回動した状態を示す平面図である。このとき、図３からよくわかるように、マグネット４３の磁力に抗して、シンク３側が軸支されて扉本体１２のみを開けるため、枠体１１の裏面に固定された小収納部２が収納スペースにとどまり、オープンとなる。かくして、小収納部２として用いた籠体に、フライ返し、調理用箸、しゃもじ等、主として火回りで使用する調理用品、調理器具等を使い勝手よく収納することができる。
【００１３】
つぎに、本願第２発明の好ましい実施の形態について説明する。図４は、天板の一方にシンク３が、他方にコンロ４が設けられ、中央がカウンターとされたキッチンキャビネットの中央下方の収納スペースに本願第２発明にかかる引出し６をスライド自在に収めた状態を示す斜視図である。また、図４においては、引出し６の前板を、シンク３側で引出し６の左側面板に蝶番３４、３５で軸支して片開き扉７とし、この片開き扉７を開けて引出し６の前部に設けた小収納部９が現れた状態を示す。図４からよくわかるように、片開き扉７は、引出し６の右側面板に埋め込まれたマグネットと４４と片開き扉７の裏面の相当する位置に埋め込まれた鉄片４５の磁性係止に抗して開き、かくして、小収納部２としての籠体に、フライ返し、調理用箸、しゃもじ等、主として火回りで使用する調理用品、調理器具等を使い勝手よく収納することができる。
【００１４】
図５は、蝶番３４、３５で軸支した片開き扉７の他端を上記マグネット４４と鉄片４５とで磁性係止したまま、取っ手８を引き、引出し６を手前にスライドさせた状態を示す平面図である。この状態では、収納スペースの奥部分が現れてオープンとなり、かくして、この収納スペースの奥部分に鍋、土鍋、ボウル等、主として水回りで使用する調理用具を使い勝手よく収納することができる。
【００１５】
上記した本願第１、第２発明の実施形態にかかるキッチンキャビネットの収納装置は、シンク３側を軸支して扉本体１２または、片開き扉７を開け、小収納部２または９に主として火回りで使用する調理用品、調理器具等を収納する形態としているが、コンロ４側を軸支して扉本体１２または、片開き扉７を開け、小収納部２または９に主として水回りで使用する調理用具を収納する形態としてもよい。また、シンク３とコンロ４との位置を反対とした場合についても適用できる。このように、本願第１、第２発明にかかるキッチンキャビネットの収納装置は種々設計変更可能であり、いずれの場合も本発明の技術的範囲に含まれる。
【００１６】
【発明の効果】
以上述べたように、請求項１に記載の本願第１発明は上記のとおりであり、とくに、コンロ４側を軸支して開けるときは、収納スペース奥部分が現れ、シンク３側を軸支して開けるときは、扉体１のみが開いて小収納部２が収納スペース内にとどまって現れることを特徴とするキッチンキャビネットの収納装置である。このようにすることによって、キッチンキャビネットの中央下方の収納スペースに、主として水回りで使用する調理用具と、主として火回りで使用する調理用品、調理器具等とを区分して収納できる収納装置を提供することができる。
【００１７】
請求項２に記載の発明は、上記扉体１が、上記収納スペースの開口部１０のコンロ４側に第１の蝶番４１、４２によって軸支され、かつ、上記開口部１０と略同じ大きさで、裏面に小収納部が固定された枠体１１と、この枠体１１のシンク３側と折れ戸式に第２の蝶番３１、３２によって軸支された扉本体１２とから構成される。このようにすることによって、請求項１に記載の発明の効果に加えて、シンク３使用時に、コンロ４側を軸支して扉体１を開ければ、収納スペースの奥部分が現れ、主として水回りで使用する調理用具等を使い勝手よく、収納することができる。また、コンロ４使用時に、シンク３側を軸支して扉本体１２のみを開ければ、上記小収納部２が現れ、主として火回りで使用する調理用品、調理器具等を使い勝手よく、収納することができる。
【００１８】
請求項３に記載の発明は、上記枠体１１のシンク３側と、上記開口部１０のシンク３側とが相互に磁性係止される。このようにすることによって、請求項２に記載の発明の効果に加えて、枠体１１のシンク３側と開口部１０のシンク３側とがしっかりと磁性係止するため、第２の蝶番３１、３２に軸支された扉本体１２のみを容易に開けることができる。
【００１９】
請求項４に記載の発明は、上記枠体１１のコンロ４側と、上記扉本体１２のコンロ４側とが相互に磁性係止される。このようにすることによって、請求項２に記載の発明の効果に加えて、上記枠体１１と扉本体１２とがあたかも１枚の扉のようにしっかりと磁性係止し、第１の蝶番４１、４２に軸支されて容易に開けることができる。
【００２０】
請求項５に記載の本願第２発明は上記のとおりであり、とくに、上記収納スペースに引出し６をスライド自在に収めるとともに、該引出し６は、前板のシンク３側端部が該引出し６の左側面板に回動自在に軸支され、該前板のコンロ４側端部は引出し６の右側面板に磁性係止する片開き扉７とされ、かつ、引出し６の前部に小収納部９を備えたことを特徴とするキッチンキャビネットの収納装置である。このようにすることにより、キッチンキャビネットの中央下方の収納スペースに、主として水回りで使用する調理器具類と、主として火回りで使用する調理用品、調理器具等とを区分して収納する収納装置を設けることができる。
【図面の簡単な説明】
【図１】本願第１発明にかかるキッチンキャビネットの収納装置をカウンター中央下方の収納スペースに設置した状態を示す斜視図である。
【図２】上記において、収納スペース奥の部分に主として水回りで使用する調理用具類を収納する状態を示す平面図である。
【図３】上記において、小収納部に主として火回りで使用する調理用品、調理器具等を収納する状態を示す平面図である。
【図４】本願第２発明にかかるキッチンキャビネットの収納装置をカウンター中央下方の収納スペースに設置した状態を示す斜視図である。
【図５】上記において、収納スペース奥の部分に主として水回りで使用する調理用具類を収納する状態を示す平面図である。
【符号の説明】
１          第１発明にかかる扉体
１１        同上枠体
１２        同上扉本体
２          同上小収納部
３１、３２  同上第２の蝶番
３３        同上開口部のシンク側に埋め込まれたマグネット
４１、４２    同上第１の蝶番
４３        同上枠体のコンロ側に埋め込まれたマグネット
５１、５２  同上扉本体に設けられた把手
１０        同上開口部
６          第２発明にかかる引出し
７          同上片開き扉
８          同上片開き扉に設けられた取っ手
９          同上小収納部
３４、３５  同上片開き扉を軸支する蝶番
４４        同上引出しの右側面板に埋め込まれたマグネット
４５        同上片開き扉の裏面に埋め込まれた鉄片
３          シンク
４          コンロ
【図１】
2005000531.tif 000003
【図２】
2005000531.tif 000004
【図３】
2005000531.tif 000005
【図４】
2005000531.tif 000006
【図５】
2005000531.tif 000007